【手続補正書】
【提出日】令和3年3月17日(2021.3.17)
【手続補正１】
【補正対象書類名】特許請求の範囲
【補正対象項目名】全文
【補正方法】変更
【補正の内容】
【特許請求の範囲】
【請求項１】
コンピュータ断層撮影において、撮影するボリュームを位置決めする方法であって、前記方法においては、Ｘ線撮影手段を含むコンピュータ断層撮影装置と、前記コンピュータ断層撮影装置の制御システムと、前記コンピュータ断層撮影装置に機能可能に接続されている、画像情報表示手段と、を備えた装置構造、を使用し、前記方法においては、
撮影したいボリュームを含む人または動物の頭部を、前記コンピュータ断層装置の撮影領域に配置し、
前記人または動物の頭部を、少なくとも２つの異なる方向から少なくとも２つの光学カメラによって撮影し、前記光学カメラによって生成される、少なくとも２つの異なる方向からの少なくとも第１の生画像および第２の生画像を、前記画像情報表示手段によって表示し、
前記少なくとも２つの光学カメラによって撮影した領域内の、前記コンピュータ断層撮影装置によって撮影する前記ボリュームの位置を示すボリューム位置決めインジケータを、前記第１の生画像および前記第２の生画像に関連して表示し、
前記ボリューム位置決めインジケータを前記第１の生画像および前記第２の生画像内の所望の位置に配置することによって、前記コンピュータ断層撮影装置によって撮影したい前記ボリュームの位置を、前記ボリューム位置決めインジケータによって指し示す、選択する、または決定する、
方法。
【請求項２】
前記少なくとも２枚の生画像内に表示される前記ボリューム位置決めインジケータが、前記第２の生画像内においては、前記第１の生画像内の前記ボリューム位置決めインジケータの位置に対応する、頭部領域の特定の解剖学的構造に対する位置に常に配置されるようになっている、請求項１に記載の方法。
【請求項３】
前記第１の生画像を、人または動物の実質的に顔の方向から撮影し、前記第２の生画像を、実質的に前記頭部の側面から撮影し、前記第１の生画像および前記第２の生画像の撮影方向は、共に歯列弓によって決まる平面の方向であり、このように撮られた第１の生画像および第２の生画像に加えて、前記歯列弓によって決まる前記平面に対して垂直な方向から見た顎骨または歯列弓を示す第３の生画像を、前記画像情報表示手段によって表示し、これらの生画像すべてに前記ボリューム位置決めインジケータを表示し、前記第１の生画像および前記第２の生画像内の前記ボリューム位置決めインジケータの位置は、前記第３の生画像内において前記ボリューム位置決めインジケータが位置している場所に従った、前記撮影領域内の位置に常に表示される、請求項１または請求項２に記載の方法。
【請求項４】
前記ボリューム位置決めインジケータの寸法が変更可能である、請求項１から請求項３のいずれか１項に記載の方法。
【請求項５】
前記光学カメラが、生画像を生成するカメラであり、ディスプレイに表示される前記第１の生画像および前記第２の生画像が、前記撮影領域に配置されている前記頭部のリアルタイムの画像である、請求項１から請求項４のいずれか１項に記載の方法。
【請求項６】
撮影したい前記ボリュームの前記位置を指し示す、選択する、または決定するステップが、
動作ｉ）前記撮影領域内で頭部領域の特定の解剖学的構造を動かす、
動作ｉｉ）前記画像情報表示手段によって表示されている前記ボリューム位置決めインジケータを動かす、
動作ｉｉｉ）前記Ｘ線撮影手段を動かす、
のうちの少なくとも１つを含む、請求項１から請求項５のいずれか１項に記載の方法。
【請求項７】
前記第１の生画像および前記第２の生画像に関連して表示される前記ボリューム位置決めインジケータが、長方形である、請求項１から請求項６のいずれか１項に記載の方法。
【請求項８】
前記第３の生画像に関連して表示される前記ボリューム位置決めインジケータが、円である、請求項３から請求項７のいずれか１項に記載の方法。
【請求項９】
前記少なくとも２つの光学カメラが、前記コンピュータ断層撮影装置内に配置されているカメラシステムの一部である、請求項１から請求項８のいずれか１項に記載の方法。
【請求項１０】
前記２つの光学カメラが、コンピュータ断層撮影中に前記撮影領域内の患者の位置を識別するために使用され、前記位置の変化が検出された場合、前記患者の前記位置の変化を補正するために、撮影中に前記Ｘ線撮影手段の動きを制御する、請求項９に記載の方法。
【請求項１１】
コンピュータ断層撮影装置であって、Ｘ線源および画像情報の受信器手段を含むＸ線撮影手段と、撮影ステーションと、制御システムと、前記コンピュータ断層撮影装置に機能可能に接続されている、表示制御手段と、画像情報表示手段と、を備えており、前記コンピュータ断層撮影装置が、
互いに距離をおいて配置されており、かつ前記撮影ステーションに向けられているかまたは向けることのできる少なくとも２つの光学カメラ、
をさらに備えており、
前記コンピュータ断層撮影装置の前記制御システムが、
前記少なくとも２つの光学カメラによって生成された生画像と、さらにこの生画像に関連するボリューム位置決めインジケータとを、前記画像情報表示手段によって表示する手段と、
前記ボリューム位置決めインジケータを前記生画像内の所望の位置に配置することによって、撮影したいボリュームの位置を前記ボリューム位置決めインジケータによって指し示す、選択する、または決定する手段と、
を備えている、
コンピュータ断層撮影装置。
【請求項１２】
前記制御システムが、前記生画像内の前記ボリューム位置決めインジケータの位置、前記ボリューム位置決めインジケータの１つまたは複数の寸法、前記撮影ステーションに対する前記Ｘ線撮影手段の位置、のうちの少なくとも１つを調整する手段、を備えている、請求項１１に記載の装置。
【請求項１３】
第１の生画像を、人または動物の実質的に顔の方向から撮影し、第２の生画像を、実質的に頭部の側面から撮影し、前記第１の生画像および前記第２の生画像の撮影方向が、共に歯列弓によって決まる平面の方向となるように構成されており、前記画像情報表示手段が、前記歯列弓によって決まる前記平面に対して垂直な方向から見た顎骨または歯列弓を示す第３の生画像を表示するようにさらに構成されており、これらの生画像すべてに前記ボリューム位置決めインジケータが表示され、前記第１の生画像および前記第２の生画像内の前記ボリューム位置決めインジケータの位置は、前記第３の生画像内において前記ボリューム位置決めインジケータが位置している場所に従った、前記撮影ステーション内の位置に常に表示されるようにさらに構成されている、請求項１１または請求項１２に記載の装置。
【請求項１４】
歯科用のコンピュータ断層撮影装置であって、
第１の光学カメラで撮影した頭部正面図である第１の画像と、第２の光学カメラで撮影した頭部側面図である第２の画像と、顎骨または歯列弓のモデルである第３の画像とを表示する、画像情報表示手段と、
前記コンピュータ断層撮影装置によって撮影するボリュームの位置を示すインジケータを画像上に表示するための表示制御手段であって、前記第１の画像および前記第２の画像上に表示する前記インジケータを、前記第３の画像上に表示する前記インジケータが示す場所に対応する位置に表示させると共に、前記第１の画像、前記第２の画像および前記第３の画像上の前記インジケータを、互いに連動するように移動させる、表示制御手段と、
前記表示制御手段と接続されており、前記インジケータで特定されるボリュームの断層撮影を行うＸ線撮影手段と、
を備える、歯科用のコンピュータ断層撮影装置。